【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
ニューラルネットワーク環境内で悪意のあるコンテンツをフィルタ処理する方法であって、
感覚表現を感覚形式で生成するためのデータを含むデータ信号セットをコンピュータネットワークまたはニューラルネットワークである第１のネットワークから受信するステップと、
受信したデータ信号セット内に含まれる悪意のあるコンテンツをフィルタ処理するステップであって、
前記受信したデータ信号セットから前記感覚表現を前記感覚形式で生成するステップと、
生成した感覚表現形式を感覚表現形式センサを用いて検出するステップと、
前記生成した感覚表現形式から、前記悪意のあるコンテンツを除いたコピーデータ信号セットを生成するステップと
を含む前記フィルタ処理するステップと、
前記生成した感覚表現形式に対応して生成したコピーデータ信号セットを記憶するステップと、
前記生成したコピーデータ信号セットをコンピュータネットワークまたはニューラルネットワークである第２のネットワークに送信するステップと、
を備え、
前記第１のネットワークおよび前記第２のネットワークのうちの少なくとも一方が、ニューラルネットワークとの間でデータ信号セットを送受信するために脳機械インタフェースに通信可能に結合され、前記脳機械インタフェースにおける脳が生物学的な脳である、方法。
【請求項２】
前記データ信号セット内に含まれる前記感覚表現に内在する不適切なコンテンツを除去することをさらに備える請求項１に記載の方法。
【請求項３】
予め規定された一連の照合基準を用いることによって、前記データ信号セット内に存在する不適切なコンテンツを除去することをさらに備える請求項１に記載の方法。
【請求項４】
マルウェア対策技術を適用することによって、前記データ信号セット内に存在する不適切なコンテンツを除去することをさらに備える請求項１に記載の方法。
【請求項５】
前記第１のネットワークが前記ニューラルネットワーク環境の前記脳機械インタフェースに通信可能に結合されており、前記データ信号セットの受信が前記脳機械インタフェースを介して行われる、請求項１に記載の方法。
【請求項６】
前記第２のネットワークが前記ニューラルネットワーク環境の前記脳機械インタフェースに通信可能に結合されており、前記コピーデータ信号セットの送信が前記脳機械インタフェースを介して行われる、請求項１に記載の方法。
【請求項７】
前記感覚表現が視覚表現であり、前記感覚形式が視覚形式である、請求項１に記載の方法。
【請求項８】
前記感覚表現が聴覚表現であり、前記感覚形式が聴覚形式である、請求項１に記載の方法。
【請求項９】
前記感覚表現が味覚表現であり、前記感覚形式が味覚形式である、請求項１に記載の方法。
【請求項１０】
前記感覚表現が触覚表現であり、前記感覚形式が、触覚形式である、請求項１に記載の方法。
【請求項１１】
前記感覚表現が認知表現であり、前記感覚形式が、視覚形式、聴覚形式、および触覚形式のうちの少なくとも一つの形式である、請求項１に記載の方法。
【請求項１２】
前記感覚表現が嗅覚表現であり、前記感覚形式が嗅覚センサを用いて検出される形式である、請求項１に記載の方法。
【請求項１３】
前記感覚表現が運動感覚表現であり、前記感覚形式が運動センサを用いて検出される形式である、請求項１に記載の方法。
【請求項１４】
前記感覚表現が動作表現であり、前記感覚形式が命令認識器を用いて認識される形式である、請求項１に記載の方法。
【請求項１５】
ニューラルネットワーク環境内で悪意のあるコンテンツをフィルタ処理するシステムであって、
感覚表現を感覚形式で生成するためのデータを含むデータ信号セットをコンピュータネットワークまたはニューラルネットワークである第１のネットワークから受信する送受信機と、
前記データを用いて前記感覚表現を前記感覚形式で生成する感覚表現生成部と、
前記感覚形式に対応し、生成された感覚表現形式を検出する少なくとも一つの感覚表現形式センサであって、前記少なくとも一つの感覚表現形式センサからの少なくとも一つの信号が、前記生成された感覚表現形式に対応するデータとしてコピーデータ信号セット内に記憶され、前記送受信機が更に、前記コピーデータ信号セットをコンピュータネットワークまたはニューラルネットワークである第２のネットワークに送信するように構成されている、前記少なくとも一つの感覚表現形式センサと、
前記第１のネットワークおよび前記第２のネットワークのうちの少なくとも一方に通信可能に結合された前記ニューラルネットワーク環境の脳機械インタフェースであって、前記脳機械インタフェースにおける脳が生物学的な脳である、前記脳機械インタフェースと、
を備え、
前記感覚表現生成部および前記少なくとも一つの感覚表現形式センサは、前記受信したデータ信号セット内における悪意のあるコンテンツをフィルタ処理するフィルタ装置として実現される、システム。
【請求項１６】
前記データ信号セット内に含まれる前記感覚表現に内在する不適切なコンテンツを除去するフィルタをさらに備える請求項１５に記載のシステム。
【請求項１７】
予め規定された一連の照合基準を用いることによって、前記データ信号セット内に存在する不適切なコンテンツを除去するフィルタをさらに備える請求項１５に記載のシステム。
【請求項１８】
マルウェア対策技術を適用することによって、前記データ信号セット内に存在する不適切なコンテンツを除去するフィルタをさらに備える請求項１５に記載のシステム。
【請求項１９】
前記感覚表現形式センサが、前記生成された感覚表現形式を検出するとともに、前記生成された感覚表現形式に対応するデータとして前記コピーデータ信号セット内に記憶される前記少なくとも一つの信号を生成するためのアルゴリズムを実装したソフトウェア構成要素を含む、請求項１５に記載のシステム。
【請求項２０】
前記感覚表現が視覚表現であり、前記感覚表現形式センサがカメラである、請求項１５に記載のシステム。
【請求項２１】
前記感覚表現が視覚表現であり、前記感覚表現形式センサがハイブリッドまたは人工眼である、請求項１５に記載のシステム。
【請求項２２】
前記第２のネットワークが前記脳機械インタフェースに通信可能に結合されており、
前記感覚表現が視覚表現であり、前記感覚表現形式センサが生物学的な眼であり、前記生物学的な眼が、前記脳機械インタフェースを介して前記第２のネットワークに送信される前記コピーデータ信号セットを生成するために少なくとも部分的に利用される、請求項１５に記載のシステム。
【請求項２３】
前記感覚表現が聴覚表現であり、前記感覚表現形式センサがマイクロフォンである、請求項１５に記載のシステム。
【請求項２４】
前記感覚表現が聴覚表現であり、前記感覚表現形式センサがハイブリットまたは人工耳である、請求項１５に記載のシステム。
【請求項２５】
前記第２のネットワークが前記脳機械インタフェースに通信可能に結合されており、
前記感覚表現が聴覚表現であり、前記感覚表現形式センサが生物学的な耳であり、前記生物学的な耳が、前記脳機械インタフェースを介して前記第２のネットワークに送信される前記コピーデータ信号セットを生成するために少なくとも部分的に利用される、請求項１５に記載のシステム。
【請求項２６】
前記感覚表現が味覚表現であり、前記感覚表現形式センサがハイブリッドまたは人工舌である、請求項１５に記載のシステム。
【請求項２７】
前記第２のネットワークが前記脳機械インタフェースに通信可能に結合されており、
前記感覚表現が味覚表現であり、前記感覚表現形式センサが生物学的な舌であり、前記生物学的な舌が、前記脳機械インタフェースを介して前記第２のネットワークに送信される前記コピーデータ信号セットを生成するために少なくとも部分的に利用される、請求項１５に記載のシステム。
【請求項２８】
前記感覚表現が触覚表現であり、前記感覚表現形式センサがハイブリッドまたは人工触覚センサである、請求項１５に記載のシステム。
【請求項２９】
前記第２のネットワークが前記脳機械インタフェースに通信可能に結合されており、
前記感覚表現が触覚表現であり、前記感覚表現形式センサが生物学的触覚センサであり、前記生物学的触覚センサが、前記脳機械インタフェースを介して前記第２のネットワークに送信される前記コピーデータ信号セットを生成するために少なくとも部分的に利用される、請求項１５に記載のシステム。
【請求項３０】
前記感覚表現が認知表現であり、前記感覚表現形式センサが、カメラ、マイクロフォン、および触覚センサのうちの少なくとも一つを含む、請求項１５に記載のシステム。
【請求項３１】
前記感覚表現が認知表現であり、前記感覚表現形式センサが、ハイブリッドもしくは人工眼、ハイブリッドもしくは人工耳、またはハイブリッドもしくは人工触覚センサのうちの少なくとも一つを含む、請求項１５に記載のシステム。
【請求項３２】
前記第２のネットワークが前記脳機械インタフェースに通信可能に結合されており、
前記感覚表現が認知表現であり、前記感覚表現形式センサが生物学的眼、生物学的耳、および生物学的触覚センサのうちの少なくとも一つを含み、前記感覚表現形式センサが、前記脳機械インタフェースを介して前記第２のネットワークに送信される前記コピーデータ信号セットを生成するために少なくとも部分的に利用される、請求項１５に記載のシステム。
【請求項３３】
前記感覚表現が嗅覚表現であり、前記感覚表現形式センサがハイブリッドまたは人工鼻である、請求項１５に記載のシステム。
【請求項３４】
前記第２のネットワークが前記脳機械インタフェースに通信可能に結合されており、
前記感覚表現が嗅覚表現であり、前記感覚表現形式センサが生物学的な鼻であり、前記生物学的な鼻が、前記脳機械インタフェースを介して前記第２のネットワークに送信される前記コピーデータ信号セットを生成するために少なくとも部分的に利用される、請求項１５に記載のシステム。
【請求項３５】
前記感覚表現が運動感覚表現であり、前記感覚表現形式センサが、ハイブリッドまたは人工運動センサである、請求項１５に記載のシステム。
【請求項３６】
前記第２のネットワークが前記脳機械インタフェースに通信可能に結合されており、
前記感覚表現が運動感覚表現であり、前記感覚表現形式センサが生物学的運動センサであり、前記生物学的運動センサが、前記脳機械インタフェースを介して前記第２のネットワークに送信される前記コピーデータ信号セットを生成するために少なくとも部分的に利用される、請求項１５に記載のシステム。
【請求項３７】
前記感覚表現が動作表現であり、前記感覚表現形式センサが、ハイブリッドまたは人工命令認識器である、請求項１５に記載のシステム。
【請求項３８】
前記第２のネットワークが前記脳機械インタフェースに通信可能に結合されており、
前記感覚表現が動作表現であり、前記感覚表現形式センサが生物学的命令認識器であり、前記生物学的命令認識器が、前記脳機械インタフェースを介して前記第２のネットワークに送信される前記コピーデータ信号セットを生成するために少なくとも部分的に利用される、請求項１５に記載のシステム。
【請求項３９】
前記第１のネットワークが前記ニューラルネットワーク環境の前記脳機械インタフェースに通信可能に結合されており、前記データ信号セットの受信が前記脳機械インタフェースを介して行われる、請求項１５に記載のシステム。
【請求項４０】
前記第２のネットワークが前記ニューラルネットワーク環境の前記脳機械インタフェースに通信可能に結合されており、前記コピーデータ信号セットの送信が前記脳機械インタフェースを介して行われる、請求項１５に記載のシステム。
【手続補正２】
【補正対象書類名】明細書
【補正対象項目名】発明の名称
【補正方法】変更
【補正の内容】
【発明の名称】ニューラル・ネットワーク・データをフィルタ処理する方法およびシステム
【手続補正３】
【補正対象書類名】明細書
【補正対象項目名】００２２
【補正方法】変更
【補正の内容】
【００２２】
いくつかの実施形態では、当該方法は１０２において、ニューラルネットワークから感覚表現を含むデータ信号を受信することができる。例えば、典型的な方法の実施形態では、ニューラルネットワーク内の人間または動物の脳で視覚映像を想像できる。視覚映像の想像は、そのニューラルネットワークとやり取りするＢＭＩによって解釈され得る。実施形態の方法は１０２で、ニューラルネットワークとやり取りするＢＭＩから視覚映像を含むデータ信号を受信する。実施形態の方法は１０４で、画像形式で視覚映像を生成することができる。次いで、当該方法は１０６で、画像形式における視覚映像の鮮明なコピーを生成することができる。例えば、当該方法は、カメラを利用して、画面またはモニタ上に表示される画像形式で視覚映像を捕捉し、この映像の鮮明なコピー１０６を生成する。これは、映像を含むデータ信号内に組み込み、および／または隠蔽された任意の不適切な（意図せぬ、私的な、または未承認のものを含む）素材を除去し、素材がさらに送信されないようにする。例えば、脳は、視覚映像の想像内に、社会保障情報およびクレジットカード情報等の、不用意にまたは無意識に含まれる私的なまたは未承認の情報（つまり、不適切な情報）を持っている可能性がある。視覚画像形式で、映像から鮮明なコピー１０６を生成することで、任意の不適切な素材が漏洩しないようにすることができる。